(57)【要約】【課題】休業日のスケジュール制御の設定を容易に行なう。【解決手段】（ａ）に示すように、ショーケースの照明をスケジュール制御するオン時刻とオフ時刻の間の時刻（１）に月曜日のスケジュールキーを押下すると、月曜日の表示器４ｂが点灯し、当日のオフ時刻（22:00）になると、表示器４ｂが点滅表示とされる。月曜日のスケジュール制御のオン時刻（10:00）となってもオン制御が行われず、月曜日のオフ時刻（22:00）になると、表示器４ｂが消灯し、通常のスケジュール制御に戻る。特別なスケジュールが設定されているときは、（ｂ）に示すように、月曜日のスケジュールキーを押下したときは、月曜日の通常スケジュールに替えて、特別なスケジュールのオン時刻（9:30）に照明がオン制御され、オフ時刻（21:30）にオフ制御される。【選択図】図９
2008047323.tif 000002
【特許請求の範囲】
【請求項１】
冷却装置の照明をスケジュール制御する冷却装置の集中監視装置であって、
あらかじめ各曜日ごとに設定されている点灯時刻及び消灯時刻に従って前記照明のオン制御及びオフ制御を行うスケジュール制御手段と、
任意の曜日を選択して前記照明のオン制御の禁止を設定する操作設定手段と、
前記操作設定手段によりオン制御の禁止が設定されている曜日について前記スケジュール制御手段によるオン制御の実行を禁止する手段と、
各曜日ごとに前記オン制御の禁止が設定されている状態であることを表示する表示手段と、
オン制御が禁止された曜日におけるオフ制御の時刻を経過したときに、その曜日についての前記オン制御の禁止の設定を解除する手段と
を備えたことを特徴とする冷却装置の集中監視装置。
【請求項２】
前記操作設定手段は各曜日に対応して設けられた操作キーであり、該操作キーを押下することにより、その操作キーに対応する曜日におけるオン制御の禁止が設定されるものであることを特徴とする請求項１記載の冷却装置の集中監視装置。
【請求項３】
前記表示手段は各曜日に対応して設けられた表示器であって、その曜日についてオン制御の禁止が設定されたときに、その曜日の前日におけるオフ時刻が経過するまでは連続点灯状態とされ、その曜日の前日におけるオフ時刻の後、その曜日のオフ時刻が経過するまでは点滅状態とされ、その曜日のオフ時刻が経過した後は消灯状態とされる表示器であることを特徴とする請求項１又は２に記載の冷却装置の集中監視装置。
【請求項４】
前記操作設定手段により任意の曜日を選択して前記オン制御を禁止したときに、その曜日に対してあらかじめ設定されている前記点灯時刻及び消灯時刻とは別に設定された点灯時刻及び消灯時刻に従って前記照明のオン制御及びオフ制御を行う手段を有することを特徴とする請求項１又は２に記載の冷却装置の集中監視装置。
【発明の詳細な説明】
【技術分野】
【０００１】
本発明は、複数台の冷却装置の照明を一括制御する冷却装置の集中監視装置に関する。
【背景技術】
【０００２】
複数のショーケース等の照明を一括管理するシステムが提案されている（特許文献１）。
この提案されたシステムにおいては、ショーケースの照明の点灯時刻と消灯時刻からなる点／消灯スケジュールを複数設定することができるようにし、該設定された点／消灯スケジュールから選択されたスケジュールに基づいてショーケースの照明の点灯と消灯を制御するようにしている。また、カレンダーの日付に対し点／消灯スケジュールを割り当てることも提案されている。
【特許文献１】特開２００１−２７２１６１号公報
【発明の開示】
【発明が解決しようとする課題】
【０００３】
上記提案されているシステムでは、あらかじめ点灯時刻と消灯時刻からなる点／消灯スケジュールを複数設定しておき、その点／消灯スケジュールを選択することで、照明の点灯時刻／消灯時刻を変更しており、休業日の際は、休業日の前夜に全ての切換スイッチを停止に設定し、休業日後の翌朝に切換スイッチを該当する点／消灯スケジュールに設定しなおす必要がある。その為、休業日の翌朝に作業者が操作を忘れると、照明が点灯しないという問題があった。
また、複数のショーケース等を一括管理するシステム監視装置に設定された年間カレンダ等に休業日を登録することも考えられるが、この場合、プログラムも複雑になり、マニュアル等によりシステムに特別な知識を有する人のみが設定情報の変更が可能となり、システム監視装置の運用が簡単でないという問題がある。
近年、スーパーマーケットなどにおいては、年中無休の営業形態をとっているところが多く、正月などの特別な休日に不定期に１、２日程度休業するという店舗が多い。このような営業形態に即して休業日の設定を容易に行うことができる冷却装置の集中監視装置が求められている。
【０００４】
そこで本発明は、スケジュール制御における休業日等の設定が簡単な操作によって可能な冷却装置の集中監視装置を提供することを目的としている。
【課題を解決するための手段】
【０００５】
上記目的を達成するために、本発明の冷却装置の集中監視装置は、冷却装置の照明をスケジュール制御する冷却装置の集中監視装置であって、あらかじめ各曜日ごとに設定されている点灯時刻及び消灯時刻に従って前記照明のオン制御及びオフ制御を行うスケジュール制御手段と、任意の曜日を選択して前記照明のオン制御の禁止を設定する操作設定手段と、前記操作設定手段によりオン制御の禁止が設定されている曜日について前記スケジュール制御手段によるオン制御の実行を禁止する手段と、各曜日ごとに前記オン制御の禁止が設定されている状態であることを表示する表示手段と、オン制御が禁止された曜日におけるオフ制御の時刻を経過したときに、その曜日についての前記オン制御の禁止の設定を解除する手段とを備えたものである。
また、前記操作設定手段は各曜日に対応して設けられた操作キーであり、該操作キーを押下することにより、その操作キーに対応する曜日におけるオン制御の禁止が設定されるものとされている。
さらに、前記表示手段は各曜日に対応して設けられた表示器であって、その曜日についてオン制御の禁止が設定されたときに、その曜日の前日におけるオフ時刻が経過するまでは連続点灯状態とされ、その曜日の前日におけるオフ時刻の後、その曜日のオフ時刻が経過するまでは点滅状態とされ、その曜日のオフ時刻が経過した後は消灯状態とされる表示器とされている。
さらにまた、前記操作設定手段により任意の曜日を選択して前記オン制御を禁止したときに、その曜日に対してあらかじめ設定されている前記点灯時刻及び消灯時刻とは別に設定された点灯時刻及び消灯時刻に従って前記照明のオン制御及びオフ制御を行う手段を有するものである。
【発明の効果】
【０００６】
本発明の冷却装置の集中監視装置によれば、特別な休日（休業日）のスケジュール制御の設定が簡単な操作で容易に行うことができる。
また、設定されたスケジュール制御の状態及び実行状態が監視者に分かりやすく常時確認できることから、特別な休日のスケジュール制御の設定及び実行を間違いなく確実に実施することができる。
さらに、休業日のスケジュール制御の実行を終了すると通常の営業日のスケジュール制御に自動的に戻ることから、設定操作が簡単で確実なスケジュール制御を実行することができる。
さらにまた、通常のスケジュールに替えて特別なスケジュール制御も簡単な操作で容易に行うことができる。
【発明を実施するための最良の形態】
【０００７】
図１は本発明の冷却装置の集中監視装置が適用されるシステムの全体構成を示すシステム構成図、図２は集中監視装置である上位制御機器のブロック図、図３は上位制御機器の外観図、図４は上位制御機器の表示・操作部の外観図である。なお、本発明は、各種の冷却装置に使用することができるが、ここでは、冷却装置がショーケースであるものとして説明する。
図１において、電子コントローラ１は各ショーケース２ごとに設置されており、通信路を介して上位制御機器２０と接続されている。各電子コントローラ１は、各ショーケース２の庫内温度の制御や除霜制御を行うとともに、その運転状態を示す情報などを上位制御機器２０に送信し、また、上位制御機器２０からの照明点灯指令及び消灯指令により、それぞれに接続されたショーケース２の照明のオンオフ制御を行う。
上位制御機器２０は、図２に示すように、複数の電子コントローラ１と接続し照明の点灯指令（オン指令）及び消灯指令（オフ指令）などを送信し、運転状態を示す情報などを受信する通信部２１、複数の電子コントローラ１からの運転状態を示す情報などを記憶する記憶部２２、スケジュール時刻（照明の点灯時刻（オン時刻）及び消灯時刻（オフ時刻））などの各種設定値を保存する不揮発性メモリからなる保存部２３、スケジュール時刻などを表示、設定する第１の表示・操作部（表示・操作部Ａ）２４、スケジュール制御の実行や停止状態などを表示、設定する第２の表示・操作部（表示・操作部Ｂ）２５、現在時刻を管理する時計管理部２６、スケジュール制御処理などの各種処理を実行するマイクロコンピュータからなる判断部２７で構成されている。
【０００８】
図３は、本発明の集中監視装置である上位制御機器２０の一実施の形態の外観図である。この図に示すように、上位制御機器２０の筐体の表面には、前記表示・操作部Ａ（２４）及び表示・操作部Ｂ（２５）などが設けられている。
図４の（ａ）は表示・操作部Ａ（２４）を拡大して示す図である。
表示・操作部Ａ（２４）は、現在時刻（時、分）、曜日、スケジュール制御のオン時刻及びオフ時刻の設定操作及び表示を行うためのものであり、図４の（ａ）に示すように、それぞれ２桁の７セグメントの表示器３ａ、３ｂ及び３ｃと、アップキー３ｄ、ダウンキー３ｅ、選択キー３ｆ及び確定キー３ｇの４つの操作キーが設けられている。ここで、７セグメントの表示器３ａ〜３ｃとしては、例えば、ＬＥＤ、蛍光表示管、液晶表示器などが用いられる。
表示器３ａは、現在時刻及びスケジュール時刻の‘時’を表示する時表示器であり、「００」から「２３」が表示される。運用時は、通常、現在時刻の‘時’が表示される。
表示器３ｂは、現在時刻及びスケジュール時刻の‘分’を表示する分表示器であり、「００」から「５９」が表示される。運用時は、通常、現在時刻の‘分’が表示される。
表示器３ｃは、曜日と各種設定モードを表示するモード設定表示器である。運用時には、このモード設定表示器３ｃには、通常、曜日を示す「１」〜「７」の数字が表示されているが、オン時刻を設定するモードのときは「ｏｎ」、オフ時刻を設定するモードのときは「ｏＦ」が表示される。
選択キー３ｆは、モード設定表示器３ｃ、時表示器３ａ、分表示器３ｂを順次選択する操作キーである。
アップキー３ｄ及びダウンキー３ｅは、前記選択キー３ｆで選択された表示器３ａ〜３ｃの内容（例えば、選択された表示器が３ａの場合は「００」〜「２３」、３ｂの場合は「００」〜「５９」、３ｃの場合は「ｏｎ」又は「ｏＦ」）を選択する操作キーである。表示器３ａ又は３ｂに表示されている内容は、アップキー３ｄを操作するごとに１つずつ増加し、ダウンキー３ｅを操作するごとに１つずつ減少する。
確定キー３ｇは選択キー３ｆ、アップキー３ｄ、ダウンキー３ｅの操作により選択されたスケジュール制御のオン時刻、オフ時刻などを確定する操作キーである。
【０００９】
図４の（ｂ）は、前記表示・操作部Ｂ（２５）を拡大して示す図である。
図示するように、表示・操作部Ｂ（２５）には、日曜日〜土曜日の各曜日に対応するスケジュールキー４Ａ〜４Ｇと全停止を指定する全停止キー４Ｈの８個の操作キーが設けられており、各操作キー４Ａ〜４Ｈの上にそれぞれ対応する曜日表示器４ａ〜４ｇ及び停止表示器４ｈが設けられている。曜日表示器４ａ〜４ｇ及び停止表示器４ｈとしては例えばＬＥＤが用いられる。
【００１０】
（時計の設定）
前記表示・操作部Ａ（２４）を用いて現在時刻を設定する方法について説明する。
図２の時計管理部２６に一度も時刻が設定されていないときには、時表示器３ａは「００」を点滅表示している。選択キー３ｆ、アップキー３ｄ、ダウンキー３ｅにて現在時刻「００」〜「２３」（時）を選択して、確定キー３ｇを押すことで、時表示器３ａが連続表示となり、続いて分表示器３ｂが「００」を点滅表示する。
続いて、選択キー３ｆ、アップキー３ｄ、ダウンキー３ｅにて現在時刻「００」〜「５９」（分）を選択して、確定キー３ｇを押すことで、分表示器３ｂが連続表示となり、設定された時刻（時、分）が前記時計管理部２６に格納される。時計管理部２６にはカレンダータイマー等が設けられており、電池等により停電時も時刻がカウントされている。
なお、時刻の修正が必要な場合は、モード設定表示器３ｃに例えば「０８」を割り当て、時刻修正のモードとしてもよい。時刻設定の方法については、前記方法と同じ方法でよい。また、表示器３ａ、３ｂが時刻表示している場合、３ａ、３ｂの表示器のいずれかのドット３ｔを点滅するようにしてもよい。
また、曜日の設定は、当日の曜日に対応するスケジュールキー４Ａ〜４Ｇと前記確定キー３ｇとを同時に所定時間（例えば、５秒間）押下することなどにより設定することができる。
【００１１】
（スケジュール時刻の設定）
前記表示・操作部Ａ（２４）のモード設定表示器３ｃには、曜日を示す「１」〜「７」の数字（１：日、２：月、・・・、７：土）、「ｏｎ」又は「ｏＦ」が表示されるが、通常は、当日の曜日を示す「１」〜「７」のいずれかの数字が表示されている。
前記表示・操作部Ａの選択キー３ｆが押下されてモード設定表示器３ｃが選択されると、表示器３ｃには、日曜日を示す「１」が点滅表示される。
このとき、アップキー３ｄ又はダウンキー３ｅを押下することで、前記モード設定表示器３ｃにおいて「１」（日）〜「７」（土）を選択できる。ここで、確定キー３ｇを押下することで曜日（「１」（日）〜「７」（土））が確定し、選択された曜日に対応する表示器（４ａ〜４ｇ）が点滅する。
このとき、モード設定表示器３ｃには「ｏｎ」の表示が点滅して表示されるとともに、時表示器３ａ及び分表示器３ｂには設定されているオン時刻が表示される。なお、オン時刻のデータが未だ未入力の場合は、例えば、時表示器３ａ及び分表示器３ｂの「．」（ドット３ｔ）のみが表示される。この状態で、アップキー３ｄ又はダウンキー３ｅを押下することで、前記表示器３ｃに「ｏｎ」又は「ｏＦ」の表示を選択することができる。
前記モード設定表示器３ｃに「ｏｎ」又は「ｏＦ」の表示が点滅しているときに、確定キー３ｇを押下することで、「ｏｎ」又は「ｏＦ」の表示が連続点灯となり、モードが決定される。「ｏｎ」を選択したときにはオン時刻の設定モードとなり、「ｏＦ」を選択したときにはオフ時刻の設定モードとなる。
ここで、前記モードが決定されたことで時表示器３ａが点滅を開始する。この状態で、アップキー３ｄ又はダウンキー３ｅを押下することで時（「０」〜「２３」）を選択し、確定キー３ｇを押下することで前記モードの時刻（時）が確定し、時表示器３ａが連続点灯となり、続いて、分表示器３ｂが点滅する。前記時表示器３ａの場合と同様の手順でアップキー３ｄ又はダウンキー３ｅを押下することで分（「０」〜「５９」）を選択し、確定キー３ｇを押下することで当該モードのスケジュール時刻が確定し、前記保存部２３に保存される。
同様の手法で、他方のモード（「ｏｎ」又は「ｏＦ」）のスケジュール時刻を確定することができる。
該当曜日に対する所定の設定が終了することで、該当曜日に対応する表示器（４ａ〜４ｇのいずれか）の点滅は消灯され、前記設定された内容が前記保存部２３に格納される。
【００１２】
スケジュール制御手段である前記判断部２７は、前記時計管理部２６の現在時刻と前記保存部２３に保存されたオン時刻及びオフ時刻とを比較し、オン時刻となったときに照明オン指令を前記通信部２１を介して各電子コントローラ１に送信し、オフ時刻となったときに照明オフ指令を各電子コントローラ１に送信する。
各電子コントローラ１は、上位制御機器２０からの前記オン指令又はオフ指令に従って、接続されているショーケース２の照明のオン又はオフの制御を行う。
なお、スケジュールキー４Ｈが押下され、停止表示器４ｈが点灯している場合は、すべてのスケジュール制御は禁止され、すべてのショーケース２の照明が消灯される制御が実施（電子コントローラ１に照明オフの指令を送付）される。
【００１３】
このような本実施の形態において、操作者は、特定の曜日についてスケジュール制御のオン制御を禁止することができる。詳細については後述するが、前記スケジュールキー４Ａ〜４Ｇのいずれかを押下することで、押下したスイッチに対応する表示器４ａ〜４ｇが点灯し、表示器が点灯した曜日のスケジュール制御のオン制御が１回だけ禁止される。
また、上述のようにスケジュール制御のオン制御を禁止するだけではなく、別途設定された特定のスケジュール時刻に基づくスケジュール制御を１回だけ実行させるようにすることもできる。例えば、特定のイベント等により特定の曜日のスケジュール時刻を特別なスケジュール時刻に変更したいときなどに有効である。
特別なスケジュール時刻は、例えば、前記スケジュールキー４Ａ〜４Ｇのいずれかを押下したときに前記モード設定表示器３ｃに「ｏｎ」又は「ｏＦ」の表示を所定時間（例えば、５秒間）点滅表示させ、該点滅表示している間に、前述と同様に、アップキー３ｄ又はダウンキー３ｅにより「ｏｎ」又は「ｏＦ」を選択して、スケジュール時刻の設定操作を開始することにより、設定することができる。設定された特別なスケジュール時刻は前記保存部２３に通常のスケジュール時刻とは別に格納される。
【００１４】
図５は、本実施の形態において前記判断部２７による制御処理の際に参照されるテーブルの一例を示す図である。
図５の（ａ）は前記時計管理部２６に設けられるカレンダータイマー（Ｃ・Ｔ）であり、図示するように、年、月、日、曜日、時、分、秒の各データが格納され、自動的に更新されるようになされている。ここで、曜日のデータは、日曜〜土曜を「１」〜「７」の数字で表している。また、「時」と「分」のデータは、スケジュール制御における現在時刻である。
図５の（ｂ）は前記記憶部２２に記憶される曜日ポインター（Ｗ・Ｐ）の一例を示す図であり、前記カレンダータイマーに格納されている曜日のデータ「１」〜「７」が格納される。後述するように、この曜日ポインター（Ｗ・Ｐ）に格納されているデータと前記時計管理部２６のカレンダータイマー（Ｃ・Ｔ）に格納されている曜日のデータとを比較し、不一致のときには、前記時計管理部２６のＣ・Ｔに格納されている曜日のデータをこの曜日ポインターにコピーするようになされている。
【００１５】
図５の（ｃ）は、前記保存部２３に記憶される７曜日スケジュールテーブル（Ｗ・Ｓ・Ｔ）の一例を示す図である。この図に示すように、この実施の形態では、７曜の各曜日についてそれぞれ通常のスケジュールのオン時刻とオフ時刻、及び、特別なスケジュールのオン時刻とオフ時刻が記憶されている。ここで、「--:--」は空値（ヌル）、すなわち、設定時刻が設定されていないことを示している。この図に示した例では、通常のスケジュールとして、日曜日は９時から２２時まで、月曜日から金曜日は１０時から２２時まで、土曜日は８時３０分〜２３時までそれぞれ照明を点灯するスケジュール時刻が設定されており、また、月曜日に９時３０分〜２１時３０分まで照明を点灯する特別なスケジュール時刻が設定されている。
前記判断部２７は、このスケジュールテーブルを参照して、各電子コントローラ１に対する照明オン指令及び照明オフ指令を送信するようになされている。
【００１６】
この実施の形態における前記制御部２７によるスケジュール制御処理の流れについて図６〜図８を参照して説明する。
図６はこの実施の形態におけるスケジュール制御処理（ウイクリー・スケジュール制御処理）の流れを示すフローチャート、図７はウイクリー・スケジュールオン制御処理の流れを示すフローチャート、図８はウイクリー・スケジュールオフ制御処理の流れを示すフローチャートである。
このウイクリー・スケジュール制御処理は、スケジュールキー４Ａ〜４Ｇのいずれかが押下されたとき、又は、所定時間（例えば、１分）ごとに起動される。
ウイクリー・スケジュール制御処理が起動されると、まず、前記曜日ポインター（Ｗ・Ｐ）に格納されている曜日データと前記時間管理部２６のカレンダータイマー（Ｃ・Ｔ）に格納されている曜日データとを比較し（Ｓ１１）、不一致の場合には、前記カレンダータイマー（Ｃ・Ｔ）に格納されている曜日データを前記曜日ポインター（Ｗ・Ｐ）にコピーする（Ｓ１２）。
次に前記スケジュールキー４Ａ〜４Ｇのいずれかが押下されたか否かを判定し（Ｓ１３）、押下されていないときは、ウイクリー・スケジュール・オン制御（Ｓ１８）に進む。
スケジュールキー４Ａ〜４Ｇのいずれかが押下されていたときは、押下されたスイッチに対応する表示器４ａ〜４ｇを点灯し（Ｓ１４）、押下されたスイッチの曜日が曜日ポインタの曜日又はその曜日の翌日の曜日に等しいか否かを判定する（Ｓ１５）。この判定結果がＮＯのときは、ウイクリー・スケジュール・オン制御（Ｓ１８）に進む。一方、ＹＥＳのとき、すなわち、押下されたスイッチの曜日が当日又はその翌日の曜日であるときは、現在時刻が押下された曜日の前日のオフ時刻〜押下された曜日のオン時刻の間であるかを判定する（Ｓ１６）。その結果が、ＮＯであるときは、ウイクリー・スケジュール・オン制御（Ｓ１８）に進むが、ＹＥＳのときには、表示器４ａ〜４ｇの中から、前記Ｓ１４で点灯した押下されたスイッチに対応する表示器４ａ〜４ｇを点滅状態にする（Ｓ１７）。そして、ウイクリー・スケジュール・オン制御（Ｓ１８）に進む。
【００１７】
図７は、ウイクリー・スケジュール・オン制御（Ｓ１８）の処理内容を示すフローチャートである。
この処理においては、まず、前記曜日ポインタ（Ｗ・Ｐ）が指示する７曜日スケジュールテーブル（Ｗ・Ｓ・Ｔ）からスケジュール時刻を読み出し（Ｓ２０）、当日に特別なスケジュールが設定されているか否かを判定する（Ｓ２１）。
その結果、特別なスケジュールが設定されているときは、現在時刻が特別なスケジュールのオン時刻に一致しているか否かを判定し（Ｓ２２）、一致していないときはこのウイクリー・スケジュール・オン制御処理を終了する。現在時刻が特別なスケジュールのオン時刻に一致しているときには、曜日ポインタが指示する７曜日スケジュールテーブルに記憶されているその曜日の特別なスケジュールのオン時刻をクリアし（「--:--」に書き換えて）（Ｓ２５）、電子コントローラ１に照明オン指令を送信する（Ｓ２６）。これにより、特別なスケジュールに従ってショーケース２の照明が点灯される。
一方、当日に特別なスケジュールが設定されていないときは（Ｓ２１がＮＯ）、ステップＳ２３に進み、当日に対応する表示器４ａ〜４ｇが点滅状態となっているか否かを判定する。当日の表示器４ａ〜４ｇが点滅していないときは、現在時刻が前記７曜日スケジュールテーブル（Ｗ・Ｓ・Ｔ）に格納されている通常のスケジュールのオン時刻と一致しているか否かを判定し（Ｓ２４）、一致しているときは、電子コントローラ１に照明オン指令を送信する（Ｓ２６）。これにより、通常のスケジュールに従ってショーケース２の照明を点灯することができる。
また、当日の照明が点滅しているときは、そのまま、このウイクリー・スケジュール・オン制御を終了する。すなわち、照明のオン制御を行わない。
このウイクリー・スケジュール・オン制御処理（Ｓ１８）が終了した後は、ウイクリー・スケジュール・オフ制御処理（Ｓ１９）が実行される。
【００１８】
図８は、前記ウイクリー・スケジュール・オフ制御処理（Ｓ１９）の処理の流れを示すフローチャートである。
この処理では、まず、当日に特別なスケジュールが設定されているか否かが判定される（Ｓ２７）。
特別なスケジュールが設定されているときには、現在時刻が特別なスケジュールのオフ時刻と一致しているか否かを判定し（Ｓ２８）、一致していないときは、このウイクリー・スケジュール・オフ制御処理を終了する。
現在時刻が特別なスケジュールのオフ時刻と一致しているときは、前記曜日ポインタ（Ｗ・Ｐ）が指示する前記７曜日スケジュール・テーブル（Ｗ・Ｓ・Ｔ）の特別なスケジュールのオフ時刻をクリアし（「--:--」に書き換え）（Ｓ３０）、電子コントローラ１に照明オフ指令を送信する（Ｓ３１）。これにより、特別なスケジュールに従ってショーケース２の照明を消灯することができる。
そして、表示器４ａ〜４ｇの中から該当する表示器（照明オフ指令した表示器、点滅していた表示器）を消灯する（Ｓ３２）。
次に、翌日に対応する曜日の表示器４ａ〜４ｇが点灯しているか否かを判定し（Ｓ３３）、点灯している表示器があるときはその表示器を点滅状態に変更する（Ｓ３４）。そして、このウイクリー・スケジュール・オフ制御処理を終了する。
【００１９】
一方、当日に特別なスケジュールが設定されていないときは（Ｓ２７がＮＯ）、現在時刻がその曜日の通常のスケジュールのオフ時刻に一致しているか否かを判定する（Ｓ２９）。
その結果、現在時刻が通常のスケジュールのオフ時刻に一致しているときは、前記ステップＳ３１に進んで、電子コントローラ１に照明オフ指令を送信し、対応する表示器を消灯する（Ｓ３２）。そして、次の曜日の表示が点灯しているときは、その表示を点滅状態に変更して（Ｓ３４）、このウイクリー・スケジュール・オフ制御処理を終了する。
また、現在時刻が通常のスケジュールのオフ時刻に一致していないときは（Ｓ２９がＮＯ）、このウイクリー・スケジュール・オフ制御処理を終了する。
【００２０】
次に、このようなウイクリー・スケジュール制御動作について具体例に基づいて説明する。
図９の（ａ）は特別なスケジュールが設定されていないとき、（ｂ）は特別なスケジュールが設定されているときのウイクリー・スケジュール制御動作について説明するためのタイムチャートである。
図９の（ａ）において、月曜日に対応するスケジュールキー４Ｂ（図４）を、日曜日のスケジュール制御のオフ時刻（22:00）前の時刻（１）に押下したとする。このとき、前記図６のＳ１３がＹＥＳとなり、押下されたスケジュールキー４Ｂに対応する表示器４ｂが点灯する（Ｓ１４）。Ｗ・Ｐの曜日は日曜日「１」であるので、Ｓ１５の判定結果がＹＥＳとなるが、現在時刻は押下された曜日の前日のオフ時刻（22:00）の前であるのでＳ１６の判定結果はＮＯとなる。次に、ウイクリー・スケジュール・オン制御処理（Ｓ１８、図７）、ウイクリー・スケジュール・オフ制御処理（Ｓ１９、図８）が実行されるが、Ｓ２１がＮＯ、Ｓ２３がＮＯ、Ｓ２４がＮＯ、Ｓ２７がＮＯ、Ｓ２９がＮＯとなり、そのままの状態が継続される。
以下、同様に、ウイクリー・スケジュール制御処理が繰り返し実行され、現在時刻が通常のスケジュールのオフ時刻（日曜日の22:00）になると、前記図８のステップＳ２９がＹＥＳとなり、電子コントローラ１の照明オフ指令が送信され（Ｓ３１）、ショーケース２の照明が消灯される。また、Ｓ３２が実行されるが、表示器４ａ〜４ｇ中に照明オフ指令に対応する表示器がないので、このＳ３２により消灯される表示器はない。そして、次の曜日（月曜日）の表示器４ｂが点灯されているので、これを点滅表示に変更する（Ｓ３３、Ｓ３４）。すなわち、（２）の時点で、月曜日の表示器４ｂが点滅表示に変更される。これにより、月曜日のスケジュール制御のオン制御が禁止されたことが表示される。
【００２１】
次に、現在時刻が、月曜日の0:00となると、曜日ポインタ（Ｗ・Ｐ）の曜日データと前記時計管理部２６のカレンダータイマー（Ｃ・Ｔ）の曜日データとが不一致になるため、前記カレンダータイマー（Ｃ・Ｔ）の曜日データを前記曜日ポインタ（Ｗ・Ｐ）の曜日データにコピーして更新する、すなわち、月曜日の「２」に書き換える。
その後、現在時刻が月曜日のスケジュール制御のオン時刻（10:00）になるが、当日の表示が点滅状態とされているためにＳ２３の結果がＹＥＳとなるため、電子コントローラ１に照明オン指令は送信されず、オン制御が行われることはない。
時間が経過し、現在時刻が月曜日のスケジュール制御のオフ時刻（３）（22:00）になると、図８のＳ２９の判定結果がＹＥＳとなり、電子コントローラ１に照明オフ指令を送信し（Ｓ３１、照明はオンとなっていないので、実際には何も実行されない。）、該当する表示器（点滅していた月曜日の表示器４ｂ）が消灯される（Ｓ３２）。これにより、当日のスケジュール制御のオン制御の禁止が解除されたことが表示される。そして、次の曜日（火曜日）の表示が点灯しているか否かが判定されるが（Ｓ３３）、この例では、点灯していないので、そのままこの回の処理が終了される。
このように、スケジュールキー４Ａ〜４Ｇのいずれかのスイッチを押下することで押下したスイッチに対応する表示器４ａ〜４ｇのいずれかの表示器が点灯し、表示器が点灯した曜日のスケジュール制御のオン制御が１回だけ禁止される。
【００２２】
図９の（ｂ）は、特別なスケジュール時刻が設定されている場合は前記スケジュール制御のオン制御禁止の代わりに、前記特別なスケジュール時刻でスケジュール制御のオン制御、オフ制御を１回のみ実行する場合である。この特別なスケジュール時刻は該スケジュール制御を実行することで削除され、その後は通常のスケジュール時刻の制御に戻る。
前述のように、スケジュールキー４Ａ〜４Ｇのうちの４Ｂを押下し、所定時間以内（例えば、モード設定表示器３ｃが約５秒間点滅している間）に前述のスケジュール時刻の設定操作と同様の操作によりスケジュール制御のオン時刻とオフ時刻を特別なスケジュール時刻として設定することにより行うことができる。なお、前記所定時間内にキー操作が実施されない場合は、図９（ａ）のように、当日のスケジュール制御のオン制御の禁止される制御動作となる。ここでは、前記ウイクリー・スケジュール・テーブル（Ｗ・Ｓ・Ｔ）には、前記図５の（ｃ）と同様に、月曜日にオン時刻が9:30、オフ時刻が21:30の特別なスケジュール時刻が設定されているものとする。
【００２３】
このような状態で、日曜日のオン時刻とオフ時刻の間の時刻（１）に月曜日のスケジュールキー４Ｂが押下されたものとする。これにより、前述と同様に、Ｓ１４において月曜日の表示器４ｂが点灯される。そして、前述と同様に、日曜日のスケジュールのオフ時刻（２）（22:00）になると、月曜日の表示器が点滅状態となる（Ｓ３４）。
そして、月曜日になり、現在時刻が特別なスケジュールのオン時刻（9:30）になると（Ｓ２２がＹＥＳ）、ウイクリー・スケジュール・テーブルのその曜日の特別なスケジュールのオン時刻をクリアし（Ｓ２５）、電子コントローラ１に照明オン指令を送信する（Ｓ２６）。これにより、月曜日に設定されていた特別なスケジュールのオン時刻によりショーケース２の照明が点灯される。
そして、特別なスケジュールのオフ時刻（21:30）になると（Ｓ２８がＹＥＳ）、ウイクリー・スケジュール・テーブルの特別なスケジュールのオフ時刻をクリアし（Ｓ３０）、電子コントローラ１に照明オフ指令を送信し（Ｓ３１）、該当する表示器（４ｂ）を消灯する（Ｓ３２）。これにより、特別なスケジュールのオフ時刻により照明を消灯することができる。また、前記Ｓ２５とＳ３０により特別なスケジュールのオン時刻とオフ時刻がクリアされるので、次週の月曜日には通常のスケジュール時刻による制御が行われることとなる。
なお、月曜日の通常のスケジュールのオフ時刻（22:00）になると、既に特別なスケジュールが削除されているので、図８のＳ２７はＮＯとなり、Ｓ２９はＹＥＳとなって、Ｓ３１以下の処理が実行されるが、既にショーケース２の照明はオフとされており、表示器もオフとされているので、実際にはなんらの処理も行われない。
【００２４】
図９の（ａ）及び（ｂ）の例では、一つのスケジュールキー（上述の例では、月曜日のスケジュールキー４Ｂ）のみを操作したときについて説明したが、前記図６〜図８のフローチャートから明らかなように、複数の曜日のスケジュールキーを操作したときには、それぞれの曜日について同様の処理が行われることとなる。
また、上記においては、スケジュール制御で制御されるショーケース２の照明は１つ（棚照明）であるものとして説明してきたが、通常、ショーケース２には棚照明と作業灯（キャノピー）の２種類の照明がある。
この作業灯は前記棚照明と共に前記スケジュール制御により実行することも可能である。例えば、作業灯を棚照明と共に前記スケジュール制御により制御する場合は、スケジュール制御のオン時刻の所定時間（例えば３０分）前にまず、作業灯にオン制御を実行し、その後、オン時刻に棚照明にオン制御を実行する。さらに、スケジュール制御のオフ制御では、オフ時刻にまず棚照明にオフ制御を実行し、所定時間（例えば３０分）後に作業灯にオフ制御を実行する制御を追加する形態であってもよい。
また、別の制御形態として、作業灯と棚照明のスケジュール時刻をそれぞれ独立に保存し、それぞれ独立したスケジュール制御を実行できるようにしてもよい。
【００２５】
なお、上述した実施の形態では、前記保存部２３の７曜日スケジュールテーブル（Ｗ・Ｓ・Ｔ）（図５の（ｃ））に特別なスケジュールのオン時刻とオフ時刻を記憶する領域を設け、通常のスケジュール制御を禁止した場合に特別なスケジュールが保存されているときには、該特別なスケジュールに従ってスケジュール制御を実行するようにしていたが、７曜日スケジュールテーブルに特別なスケジュールのオン時刻とオフ時刻を記憶する領域を設けず、特別なスケジュールを実行する機能を省略してもよい。
【図面の簡単な説明】
【００２６】
【図１】本発明の集中監視装置が適用されるシステムの全体構成を示すシステム構成図である。
【図２】本発明の集中監視装置である上位制御機器のブロック構成図である。
【図３】上位制御機器の外観図である。
【図４】上位制御機器の表示・操作部の外観図である。
【図５】本発明の一実施の形態におけるスケジュール制御処理のための参照テーブルの一例を示す図である。
【図６】本発明の一実施の形態におけるスケジュール制御処理のフロー図である。
【図７】本発明の一実施の形態におけるウイクリー・スケジュール・オン制御処理のフロー図である。
【図８】本発明の一実施の形態におけるウイクリー・スケジュール・オフ制御処理のフロー図である。
【図９】本発明の一実施の形態におけるスケジュール制御動作を説明するための図である。
【符号の説明】
【００２７】
１：電子コントローラ、２：冷却装置、２０：上位制御機器、２１：通信部、２２：記憶部、２３：保存部、２４：表示・操作部Ａ、２５：表示・操作部Ｂ、２６：時計管理部、２７：判断部、３ａ：時表示器、３ｂ：分表示器、３ｃ：モード設定表示器、３ｄ：アップキー、３ｅ：ダウンキー、３ｆ：選択キー、３ｇ：確定キー、４Ａ〜４Ｇ：スケジュールキー、４Ｈ：全停止キー、４ａ〜４ｇ：曜日表示器、４ｈ：停止表示器
【図１】
2008047323.tif 000003
【図２】
2008047323.tif 000004
【図３】
2008047323.tif 000005
【図４】
2008047323.tif 000006
【図５】
2008047323.tif 000007
【図６】
2008047323.tif 000008
【図７】
2008047323.tif 000009
【図８】
2008047323.tif 000010
【図９】
2008047323.tif 000011